(57)【要約】【課題】デバイスを取り付けた照明器具による重量超過を抑制することができる照明器具および照明システムを提供する。【解決手段】照明器具１０は、デバイス３０の接続端子１１が電気的に接続される。照明器具１０は、接続されたデバイス３０の重量を計測してデバイス３０の重量を出力する重量計測部１３を備える。【選択図】図４
2018142445.tif 000002
【特許請求の範囲】
【請求項１】
デバイスの接続端子が電気的に接続される照明器具であって、
接続された前記デバイスの重量を計測して前記デバイスの重量を出力する重量計測部を備える
照明器具。
【請求項２】
前記重量計測部は、周囲に通知する第１通知部を有し、
接続された前記デバイスの重量が予め設定された各々の閾値を超える場合に、前記第１通知部は、前記デバイスの重量が前記閾値を超えていることを通知する
請求項１に記載の照明器具。
【請求項３】
当該照明器具の重量に対する接続された前記デバイスの重量が予め設定された割合の閾値を超える場合に、前記第１通知部は、前記デバイスの重量が前記割合の閾値を超えていることを通知する
請求項２に記載の照明器具。
【請求項４】
前記重量計測部は、さらに、当該照明器具に接続された前記デバイスの重量の前記閾値を設定する閾値設定部を有し、
前記閾値設定部は、前記閾値を任意に変更することができる
請求項２又は３に記載の照明器具。
【請求項５】
さらに、前記重量計測部が計測した前記デバイスの重量を表示する重量表示部を備える
請求項１〜４のいずれか１項に記載の照明器具。
【請求項６】
請求項１〜５のいずれか１項に記載の複数の照明器具と、
前記複数の照明器具に接続された各々の前記デバイスの重量を前記重量計測部から取得する制御部とを備える
照明システム。
【請求項７】
前記制御部は、
前記複数の照明器具から任意の照明器具を選択する選択部と、
前記選択部で選択された全ての前記照明器具の重量、及び、選択された全ての前記照明器具に接続された全ての前記デバイスの重量の総和である総重量を算出する算出部とを有する
請求項６に記載の照明システム。
【請求項８】
前記制御部は、さらに、造営材に設置できる装置の重量上限値を入力する重量設定部を有し、
前記算出部は、さらに、前記総重量と重量上限値とから差分を算出する
請求項７に記載の照明システム。
【請求項９】
さらに、周囲に通知する第２通知部を備え、
前記制御部は、前記算出部で算出した前記総重量が、前記重量設定部で設定された重量上限値を超えている場合に、前記第２通知部を介して前記重量上限値を超えていることを通知する
請求項８に記載の照明システム。
【請求項１０】
さらに、前記算出部が算出した前記総重量および前記差分を表示する重量表示部を備える
請求項８又は９に記載の照明システム。
【請求項１１】
当該照明システムは、ネットワークを介して外部機器に接続され、
前記外部機器は、前記ネットワークを介して、前記デバイスの重量に対する予め設定された閾値を任意に変更することができ、かつ、前記算出部が算出した前記総重量および前記差分を、前記ネットワークを介して受信し、
前記外部機器は、前記総重量および前記差分を表示する
請求項８〜１０のいずれか１項に記載の照明システム。
【発明の詳細な説明】
【技術分野】
【０００１】
本発明は、照明器具および照明器具を用いた照明システムに関する。
【背景技術】
【０００２】
近年では、例えば人感検知、照度検知、温度検知等のセンサ機能を照明器具に拡張させる機能拡張を行うことができる機能拡張装置（デバイスの一例）が出てきている。このような機能拡張装置を、照明器具に設けられている接続端子に接続することで、照明器具を分解することなく、照明器具の機能を容易に拡張することができる。
【０００３】
例えば、特許文献１では、機能拡張端子（接続端子の一例）により分離着脱自在な構造を有する機能プラグ（デバイスの一例）を備える照明器具が開示されている。
【先行技術文献】
【特許文献】
【０００４】
【特許文献１】特開２００２−１１０３７６号公報
【発明の概要】
【発明が解決しようとする課題】
【０００５】
しかしながら、天井などの造営材に複数の照明器具が配置されている状況で、複数の照明器具にデバイスを取り付けた場合において、照明器具の重量の増加によって造営材の耐荷重の強度に疑問が生じる。
【０００６】
そこで、本発明は、デバイスを取り付けた照明器具による重量超過を抑制することができる照明器具および照明システムを提供することを目的とする。
【課題を解決するための手段】
【０００７】
上記目的を達成するため、本発明の一態様に係る照明器具は、デバイスの接続端子が電気的に接続される照明器具であって、接続された前記デバイスの重量を計測して前記デバイスの重量を出力する重量計測部を備える。
【０００８】
また、上記目的を達成するため、本発明の一態様に係る照明システムは、複数の照明器具と、前記複数の照明器具に接続された各々の前記デバイスの重量を前記重量計測部から取得する制御部とを備える。
【発明の効果】
【０００９】
本発明によれば、デバイスを取り付けた照明器具による重量超過を抑制することができる。
【図面の簡単な説明】
【００１０】
【図１】図１は、実施の形態に係る照明システムを示す模式図である。
【図２】図２は、実施の形態に係る照明器具およびデバイス等を示すブロック図である。
【図３】図３は、実施の形態に係る照明器具およびデバイスを示す模式図である。
【図４】図４は、実施の形態に係る照明器具の動作を示すフローチャートである。
【図５】図５は、実施の形態に係る照明システムの動作を示すフローチャートである。
【図６】図６は、変形例に係る照明器具およびデバイスを示す模式図である。
【図７】図７の（ａ）は、変形例に係る照明器具にデバイスを挿入する前の状態である照明器具およびデバイスを示す模式図である。図７の（ｂ）は、変形例に係る照明器具にデバイスを挿入した後の状態である照明器具およびデバイスを示す模式図である。
【発明を実施するための形態】
【００１１】
（本発明の基礎となった知見）
近年、デバイスがネットワークと接続されることで得られる情報を活用し、新たな価値およびサービスを見いだすＩｏＴ（Ｉｎｔｅｒｎｅｔ  ｏｆ  Ｔｈｉｎｇｓ）関連技術が急速に進んでいる。例えば、照明器具に備わっている人感センサが人の動きを検知し、人の動きをサーバに送信し、サーバが人の動きに関する情報から、調光及び調色の少なくとも一つによって特定されるシーン等を判断し、シーンに基づいて適切な照明環境を提供するように、照明器具にシーンに基づく情報を送信する。こうして、照明器具は、シーンに基づく照明を行うことができる。
【００１２】
また、近年では、人感検知、照度検知、温度検知等のセンサ機能を照明器具に拡張させる機能拡張を行うことができるデバイスが出てきている。このようなデバイスを、照明器具に設けられている接続端子に接続することで、照明器具を分解することなく、照明器具の機能を容易に拡張することができる。
【００１３】
しかし、照明器具の機能拡張を行うに際し、デバイスを照明器具の接続端子に接続すれば、デバイスの重量により、照明器具が設置されている天井等の造営材に加わる重量が増加する。大きな施設では、複数の照明器具の他にもエアコン等の他の装置が造営材に取り付けられているため、これら全ての照明器具にデバイスを接続すれば、造営材の耐荷重の強度に疑問が生じる。このため、デバイスを取り付けた照明器具の重量超過を抑制することができる照明器具が求められている。
【００１４】
そこで、デバイスを取り付けた照明器具による重量超過を抑制することができる。
【００１５】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１６】
なお、各図は、模式図であり、必ずしも厳密に図示されたものではない。また、各図において、実質的に同一の構成に対しては同一の符号を付しており、重複する説明は省略又は簡略化する。
【００１７】
以下、本発明の実施の形態に係る照明器具および照明システムについて説明する。
【００１８】
（実施の形態）
［構成］
図１は、実施の形態に係る照明システム１を示す模式図である。図２は、実施の形態に係る照明器具１０およびデバイス３０等を示すブロック図である。図３は、実施の形態に係る照明器具１０およびデバイス３０を示す模式図である。図３では、図２のブロック図を模式的に表しており、構成の一部を省略している。
【００１９】
図１に示すように、照明システム１は、家屋、オフィス等の施設３に設置される。照明システム１は、ネットワーク１０１を介して外部機器１０３に接続されている。
【００２０】
照明システム１は、複数の照明器具１０と、複数のデバイス３０と、システム側制御部１１０（制御部の一例）と、第２通知部１２０とを備える。
【００２１】
照明器具１０は、施設３内に設置され、例えばフロアごとに複数の照明器具１０が設置される。照明器具１０は、天井、壁等の造営材５に設置されて、周囲を照明する。本実施の形態では、一例として、三階立ての施設３において、フロアごとに３つの照明器具１０が設置されている。
【００２２】
図２及び図３に示すように、照明器具１０は、接続端子１１と、重量計測部１３と、照明側制御部１５と、駆動部１７と、発光モジュール１９と、重量表示部２１とを有する。
【００２３】
接続端子１１は、例えば複数の端子を有する雌型の端子であり、デバイス３０と電気的に接続するために用いられる金属製の端子である。接続端子１１は、例えばＵＳＢ（Ｕｎｉｖｅｒｓａｌ  Ｓｅｒｉａｌ  Ｂｕｓ）等の接続規格に適合する形状である。接続端子１１は、照明器具１０の筐体に形成されている。本実施の形態では、接続端子１１は、照明器具１０のエンドキャップに配置されているが、配置場所は特に限定されない。
【００２４】
重量計測部１３は、照明器具１０の接続端子１１に接続されたデバイス３０の重量を計測することが可能な装置である。
【００２５】
重量計測部１３は、検知部１３ａと、閾値設定部１３ｂと、第１通知部１３ｃとを有する。
【００２６】
検知部１３ａは、照明器具１０の接続端子１１に接続されたデバイス３０の重量を計測し、照明側制御部１５に計測した重量を出力する重量センサである。検知部１３ａは、例えばロードセル式、電磁式または音叉式の重量センサである。
【００２７】
デバイス３０の重量を計測について例をあげれば、検知部１３ａがロードセル式の場合、接続端子１１の周囲に検知部１３ａを設け、接続端子１１の歪みの量を検知し、歪みの量に基づく荷重信号の処理を行い、デバイス３０の重量を計測してもよい。具体的には、接続端子１１の発光モジュール１９側を固定し、接続端子１１の外周に複数の歪ゲージを装着する。例えば、接続端子１１の上側に２つの歪ゲージを、デバイス３０の接続端子３１の挿入方向に間隔を空けて並ぶように装着する。具体的には、発光モジュール１９側に一方の歪ゲージと、一方の歪ゲージと所定の間隔を空けて、デバイス３０側に他方の歪ゲージとを、接続端子１１の上側に配置する。また、接続端子１１の下側にも同様に２つの歪ゲージを設けてもよい。こうすることで、デバイス３０の接続端子３１を接続端子１１に挿入した際に、接続端子１１の歪みの量を検知し、デバイス３０の重量を計測する。
【００２８】
また、デバイス３０の重量を計測について一例をあげれば、接続端子１１の傾斜量を検知し、傾斜の量に基づく荷重信号の処理を行い、デバイス３０の重量を計測してもよい。具体的には、接続端子１１の上側又は下側に光センサを配置し、デバイス３０を接続端子１１に接続した際に生じる接続端子１１の移動量（傾斜量）に応じてデバイス３０の重量を換算してもよい。
【００２９】
閾値設定部１３ｂは、照明器具１０の接続端子１１に接続したデバイス３０の重量の閾値を設定することができる装置である。閾値設定部１３ｂは、閾値を任意に変更することができる。設定された閾値は、メモリ等の記憶装置に閾値が記憶されていてもよい。
【００３０】
第１通知部１３ｃは、照明器具１０の接続端子１１に接続したデバイス３０の重量が、閾値設定部１３ｂで予め設定された閾値を超える場合に、デバイス３０の重量が閾値を超えていることを周囲に通知する装置である。具体的には、検知部１３ａが検知したデバイス３０の重量が、閾値設定部１３ｂが設定した閾値を超えた場合に、第１通知部１３ｃは、デバイス３０の重量を照明側制御部１５に出力する。第１通知部１３ｃは、音又は文字および光等の表示による通知等を行う。第１通知部１３ｃは、例えば、ランプ、スピーカ、液晶ディスプレイ等の表示装置等である。
【００３１】
第１通知部１３ｃは、検知部１３ａが検知したデバイス３０の重量が、閾値設定部１３ｂが設定した閾値以下である場合に、デバイス３０の重量を照明側制御部１５に送信する。照明側制御部１５は、入力されたデバイス３０の重量を単に重量表示部２１に表示させる。
【００３２】
また、照明器具１０の重量に対する接続されたデバイス３０の重量が予め設定された割合の閾値を超える場合に、重量計測部１３は、第１通知部１３ｃを介して、デバイス３０の重量が割合の閾値を超えていることを通知する。例えば、重量計測部１３は、照明器具１０の重量をメモリ等の記憶装置に予め格納し、デバイス３０の重量を計測した後に、照明器具１０の重量に対する接続されたデバイス３０の重量の割合を算出する。この割合の算出は、重量計測部１３が備える算出部が算出してもよく、照明側制御部１５が算出してもよい。この場合の重量計測部１３の算出部は、ＣＰＵ（中央演算処理装置）やメモリ等が実装された電子回路で実現できる。
【００３３】
照明側制御部１５は、照明器具１０の各種制御を行う制御装置であり、例えば点灯、消灯、調光レベルおよび調色レベルを駆動部１７に指示する。照明側制御部１５は、例えば駆動部１７に調光レベルを示す調光信号および調色レベルを示す調色信号を指示する場合に、駆動部１７に調光レベルを示す調光信号および調色レベルを示す調色信号を出力する。つまり、照明器具１０が操作端末からコマンドを受信した場合に、照明側制御部１５は、コマンドに従って、駆動部１７に指示する。こうして照明側制御部１５は、操作端末からの指示に従った動作を発光モジュール１９にさせる。
【００３４】
照明側制御部１５は、ＣＰＵ（中央演算処理装置）やメモリ等が実装された電子回路で実現できる。
【００３５】
駆動部１７は、照明側制御部１５からの調光信号によって指示される調光レベルおよび調色信号によって指示される調色レベルに応じた点灯電圧を発光モジュール１９に供給する装置である。駆動部１７は、具体的には、ＰＷＭ（Ｐｕｌｓｅ  Ｗｉｄｔｈ  Ｍｏｄｕｌａｔｉｏｎ）制御回路である。駆動部１７は、照明側制御部１５からの調光信号および調色信号に従って、発光モジュール１９の調光レベルおよび調色レベルを決定する。
【００３６】
発光モジュール１９は、駆動部１７から供給される電流により発光する固体発光素子と固体発光素子を実装した基板とを有する。固体発光素子は、例えば、ＬＥＤ（Ｌｉｇｈｔ  Ｅｍｉｔｔｉｎｇ  Ｄｉｏｄｅ）、または有機ＥＬ（Ｅｌｅｃｔｒｏ−Ｌｕｍｉｎｅｓｃｅｎｃｅ）発光素子でもよい。
【００３７】
重量表示部２１は、照明側制御部１５を介して重量計測部１３が計測したデバイス３０の重量等を表示するモニタである。なお、重量表示部２１は、単に、デバイス３０の重量等を表示するだけのパネルでもよく、照明側制御部１５および駆動部１７を介して発光モジュール１９の点灯、消灯、調光および調色等の動作を操作する操作パネル又はリモコンであってもよい。
【００３８】
デバイス３０は、例えば、カメラ、人感センサ、ビーコン等の受信機、火災報知器等の電源が必要かつ通信が可能な装置である。本実施の形態では、デバイス３０は、ＵＳＢ等の接続規格に適合する雄型の接続端子３１を有し、デバイス３０の接続端子３１を照明器具１０の接続端子１１に、電気的に接続することで電力が供給される。
【００３９】
システム側制御部１１０は、信号線９を介して複数の照明器具１０に接続され、複数の照明器具１０における各々の重量計測部１３から、各々のデバイス３０の重量を取得する。システム側制御部１１０は、算出部１１３が算出した値を、ネットワーク１０１を介して外部機器１０３に送信する。また、システム側制御部１１０は、第２通知部１２０に算出部１１３が算出した値を送信してもよい。
【００４０】
なお、システム側制御部１１０が取得するデバイス３０の重量は、直接的な数値でもよく間接的な数値でもよい。具体的には、システム側制御部１１０が取得するデバイス３０の重量は、重量計測部１３が接続端子１１から計測した重量でもよく、重量計測部１３が接続端子１１の歪みの量、傾斜の量等の間接的な数値を受信し、これらの数値からデバイス３０の重量を割り出せる間接的な重量でもよい。
【００４１】
システム側制御部１１０は、選択部１１５と、重量設定部１１１と、算出部１１３と、判定部１１７とを有する。
【００４２】
選択部１１５は、複数の照明器具１０から任意の照明器具１０を選択することが可能な装置である。選択部１１５は、選択した１以上の照明器具１０を１つのグループとして構成する。選択部１１５は、例えば部屋、フロア等の単位ごとに１つのグループを選択することができてもよい。選択部１１５は、構成したグループに関する情報を、メモリ等の記憶装置に記憶させる。
【００４３】
重量設定部１１１は、１つのグループの照明器具１０が造営材５に設置できる装置の重量上限値を設定する。例えば、部屋、フロア等ごとに推奨されている造営材５の耐荷重の強度を超えないように、重量設定部１１１は、この耐荷重を重量上限値として設定する。このため、例えば部屋、フロア等による変化、エアコン等の他の装置の設置状況等により重量上限値が変わるため、重量設定部１１１は、部屋、フロア等の領域ごとに１つのグループを設定することができてもよい。ここで、装置は、例えば照明器具１０、エアコン、火災報知器等である。造営材５にエアコン等の他の装置が設置されている場合、重量設定部１１１を介して他の装置を加味した重量上限値を入力できる。
【００４４】
算出部１１３は、選択部１１５で選択された全ての照明器具１０の重量、及び、選択された全ての照明器具１０に接続された全てのデバイス３０の重量の総和である総重量を算出する。具体的には、算出部１１３は、グループごとに総重量を算出し、算出したグループごとの総重量を、第２通知部１２０に送信する。また、算出部１１３は、グループごとに算出した総重量を、ネットワーク１０１を介して外部機器１０３に送信する。なお、算出部１１３は、グループの照明器具１０から、受信したグループの重量に変化があれば、逐次、第２通知部１２０および外部機器１０３に送信してもよい。
【００４５】
また、算出部１１３は、グループの重量と重量上限値とから差分を算出する。具体的には、差分は、重量上限値からグループの重量を差し引いた値である。この差分は、算出部１１３がグループごとに算出する。算出部１１３は、算出した差分を第２通知部１２０および外部機器１０３に送信する。
【００４６】
判定部１１７は、グループの重量が重量設定部１１１で設定した重量上限値を超えているか否かを判定する。グループの重量が重量上限値を超えていると、判定部１１７が判定した場合に、システム側制御部１１０は、重量超過であることを示す情報を第２通知部１２０および外部機器１０３に送信する。ここで、重量超過であることを示す情報には、グループの重量と、重量上限値とが含まれる。
【００４７】
一方、グループの重量が重量上限値を超えていないと、判定部１１７が判定した場合に、システム側制御部１１０は、重量上限値未満であることを示す情報を第２通知部１２０および外部機器１０３に送信する。重量上限値未満であることを示す情報とは、例えば現在のグループの重量、グループの重量と重量上限値との差分（さらに設置することができる装置の重量）等を示す情報である。
【００４８】
システム側制御部１１０は、ＣＰＵ（中央演算処理装置）やメモリ等が実装された電子回路で実現できる。
【００４９】
外部機器１０３は、例えば、コンピュータ端末、サーバ等である。外部機器１０３は、ネットワーク１０１を介して、デバイス３０の重量に対する予め設定された閾値を任意に変更することができる。また、外部機器１０３は、算出部１１３が算出した総重量および差分を、ネットワーク１０１を介して受信し、外部機器１０３の表示部が総重量および差分を表示する。
【００５０】
第２通知部１２０は、システム側制御部１１０から、グループごとの重量、グループの重量と重量上限値との差分、重量超過であることを示す情報、重量上限値未満であることを示す情報等を、音又は表示による通知等によって周囲に通知する。
【００５１】
［照明器具の動作］
次に、本実施の形態における照明器具１０の動作について説明する。図４は、実施の形態に係る照明器具１０の動作を示すフローチャートである。
【００５２】
このフローでは、閾値設定部１３ｂによってデバイス３０の重量の閾値が予め設定されている場合を想定している。
【００５３】
図４に示すように、まず、使用者は、照明器具１０の接続端子１１にデバイス３０の接続端子３１を接続し、照明器具１０とデバイス３０とを電気的に接続する。照明器具１０の重量計測部１３は、照明器具１０の接続端子１１に接続されたデバイス３０の重量を計測する（Ｓ１）。具体的には、重量計測部１３の検知部１３ａは、照明器具１０の接続端子１１に接続されたデバイス３０の重さを検知して算出する。
【００５４】
次に、重量計測部１３は、デバイス３０の重量を送信する（Ｓ２）。デバイス３０の重量の送信先は、複数の照明器具１０を制御するシステム側制御部１１０である。なお、重量計測部１３は、照明側制御部１５を介して、デバイス３０の重量とともに、メモリ等の記憶部に記憶されている照明器具１０の重量をシステム側制御部１１０に送信してもよい。
【００５５】
次に、検知部１３ａが検知した重量が閾値を超えている場合（Ｓ３ではＹＥＳ）に、第１通知部１３ｃは、デバイス３０の重量が閾値を超えていることを通知する（Ｓ４）。
【００５６】
次に、重量計測部１３は、照明器具１０の重量に対する計測したデバイス３０の重量が予め設定された割合の閾値（所定の割合の閾値）を超える場合（Ｓ５ではＹＥＳ）に、第１通知部１３ｃは、デバイス３０の重量が所定の割合の閾値を超えていることを通知する（Ｓ６）。つまり、照明器具１０の重量に対する計測したデバイス３０の重量が所定の割合の閾値以上であれば、デバイス３０と照明器具１０との重量のバランスが悪いと考えられる。
【００５７】
一方、重量計測部１３は、照明器具１０の重量に対する計測したデバイス３０の重量が予め設定された割合の閾値（所定の割合の閾値）以下である場合（Ｓ５ではＮＯ）に、ステップＳ７に進む。
【００５８】
次に、重量表示部２１は、重量計測部１３が計測したデバイス３０の重量を表示する（Ｓ７）。そして、このフローはステップＳ１に戻る。
【００５９】
一方、検知部１３ａが検知した重量が閾値未満である場合（Ｓ３ではＮＯ）に、第１通知部１３ｃは、デバイス３０の重量を通知する（Ｓ８）。そして、ステップＳ５に進み同様のフローが行われる。
【００６０】
［照明システムの動作］
次に、本実施の形態における照明システム１の動作について説明する。図５は、実施の形態に係る照明システム１の動作を示すフローチャートである。
【００６１】
この照明システム１の動作では、図１のような施設３内に、複数の照明器具１０を備える照明システム１を例にあげる。このフローでは、システム側制御部１１０によってグループごとに重量上限値を設定されている場合を想定している。このフローでは、１つのグループについて説明する。
【００６２】
図５に示すように、まず、グループにおける各々の重量計測部１３は、照明器具１０の接続端子１１に接続されたデバイス３０の重量を計測する（Ｓ１１）。具体的には、重量計測部１３の検知部１３ａは、照明器具１０の接続端子１１に接続されたデバイス３０の重さを検知して算出する。
【００６３】
次に、各々の重量計測部１３は、デバイス３０の重量をシステム側制御部１１０に送信する（Ｓ１２）。なお、重量計測部１３は、デバイス３０の重量とともに、メモリ等の記憶部に記憶されている照明器具１０の重量をシステム側制御部１１０に送信してもよい。
【００６４】
次に、算出部１１３は、グループにおける、全ての照明器具１０の重量と照明器具１０の接続端子１１に接続された全てのデバイス３０の重量との総和である総重量を算出する（Ｓ１３）。
【００６５】
次に、算出部１１３は、グループの重量と重量上限値とから差分を算出し、この差分に関する情報を第２通知部１２０および外部機器１０３に送信する（Ｓ１４）。第２通知部１２０および外部機器１０３は、この差分を出力する。
【００６６】
次に、判定部１１７は、グループの重量が重量設定部１１１で設定した重量上限値を超えているか否かを判定する（Ｓ１５）。
【００６７】
グループの重量が重量設定部１１１で設定した重量上限値を超えていると、判定部１１７が判断した場合（Ｓ１５ではＹＥＳ）に、システム側制御部１１０は、重量超過であることを示す情報を第２通知部１２０および外部機器１０３に送信する（Ｓ１６）。第２通知部１２０および外部機器１０３は、重量超過であることを出力する。そして、このフローは、ステップＳ１に戻る。
【００６８】
一方、グループの重量が重量設定部１１１で設定した重量上限値以下であると、判定部１１７が判断した場合（Ｓ１５ではＮＯ）に、システム側制御部１１０は、現在の重量を第２通知部１２０および外部機器１０３に送信する（Ｓ１７）。第２通知部１２０および外部機器１０３は、現在の重量を出力（通知、表示等）する。そして、このフローは、ステップＳ１に戻る。
【００６９】
このような照明器具１０では、重量計測部１３がデバイス３０の重量を計測し、計測したデバイス３０の重量が閾値を超えていれば、デバイス３０の重量が閾値を超えていることを、第１通知部１３ｃが通知する。また、照明器具１０の重量に対する計測したデバイス３０の重量が所定の割合の閾値を超える場合に、デバイス３０の重量が閾値を超えていることを、第１通知部１３ｃが通知する。このため、使用者は、デバイス３０を取り付けた照明器具１０による重量超過およびデバイス３０の接続によるバランスの悪さを認識することができる。
【００７０】
また、このような照明システム１では、各々の照明器具１０がデバイス３０の重量をシステム側制御部１１０に送信するため、システム側制御部１１０の算出部１１３がグループの重量を算出する。また、システム側制御部１１０の算出部１１３は、グループの重量と重量上限値とから差分を算出する。そして、システム側制御部１１０は、グループの重量、この差分を第２通知部１２０および外部機器１０３に出力する。さらに、システム側制御部１１０は、重量超過であること、又は、重量上限値未満であることを第２通知部１２０および外部機器１０３に出力する。このため、第２通知部１２０および外部機器１０３が、グループの重量、差分、重量超過であることを示す情報、又は、重量上限値未満であることを、通知および表示等するため、使用者は、グループごとに重量超過をしているか否かを認識することができる。
【００７１】
［作用効果］
次に、本実施の形態における照明器具１０および照明システム１の作用効果について説明する。
【００７２】
上述したように、本実施の形態に係る照明器具１０は、デバイス３０の接続端子１１が電気的に接続される。照明器具１０は、接続されたデバイス３０の重量を計測してデバイス３０の重量を出力する重量計測部１３を備える。
【００７３】
このように、照明器具１０の接続端子１１に接続したデバイス３０の重量を重量計測部１３が計測して外部に出力するため、この重量を受信した装置を介してデバイス３０の重量を認知することができる。
【００７４】
したがって、デバイス３０を取り付けた照明器具１０による重量超過を抑制することができる。
【００７５】
また、本実施の形態に係る照明システム１は、複数の照明器具１０と、複数の照明器具１０に接続された各々のデバイス３０の重量を重量計測部１３から取得するシステム側制御部１１０とを備える。
【００７６】
照明器具１０を複数の用いた照明システム１においても同様の作用効果を奏する。
【００７７】
また、本実施の形態に係る照明器具１０において、重量計測部１３は、周囲に通知する第１通知部１３ｃを有する。そして、接続されたデバイス３０の重量が予め設定された各々の閾値を超える場合に、第１通知部１３ｃは、デバイス３０の重量が閾値を超えていることを通知する。
【００７８】
このように、デバイス３０の重量が閾値を超えていることを、重量計測部１３の第１通知部１３ｃが通知するため、使用者は、第１通知部１３ｃを介してデバイス３０を取り付けた照明器具１０が重量超過していることを認知することができる。
【００７９】
また、本実施の形態に係る照明器具１０において、当該照明器具１０の重量に対する接続されたデバイス３０の重量が予め設定された割合の閾値を超える場合に、第１通知部１３ｃは、デバイス３０の重量が割合の閾値を超えていることを通知する。
【００８０】
このように、デバイス３０の重量が予め設定された割合の閾値を超えていることを第１通知部１３ｃが通知する。この割合の閾値を超えていなければ、デバイス３０と照明器具１０とのバランスが適切であると考えられるため、照明器具１０からデバイス３０の脱落、ひいては、不安定な状態で造営材５に固定され続けることによる照明器具１０の落下が生じ難くなる。このため、使用者は、不安定な状態で照明器具１０にデバイス３０が接続されていることを認知することができる。
【００８１】
また、本実施の形態に係る照明器具１０において、重量計測部１３は、さらに、当該照明器具１０に接続されたデバイス３０の重量の閾値を設定する閾値設定部１３ｂを有する。そして、閾値設定部１３ｂは、閾値を任意に変更することができる。
【００８２】
このように、閾値設定部１３ｂによって閾値を任意に変更することができれば、使用者は、例えばエアコン等の他の装置の重量分を考慮することができるため、使用態様に応じて柔軟に閾値を設定することができる。
【００８３】
また、本実施の形態に係る照明器具１０は、さらに、重量計測部１３が計測したデバイス３０の重量を表示する重量表示部２１を備える。
【００８４】
この構成によれば、重量表示部２１がデバイス３０の重量を表示するため、使用者は、デバイス３０の重量を確実に認識することができる。
【００８５】
また、本実施の形態に係る照明システム１において、システム側制御部１１０は、複数の照明器具１０から任意の照明器具１０を選択する選択部１１５と、選択部１１５で選択された全ての照明器具１０の重量、及び、選択された全ての照明器具１０に接続された全てのデバイス３０の重量の総和である総重量を算出する算出部１１３とを有する。
【００８６】
このように、使用者が任意の照明器具１０を選択してグループ化をすることができるため、選択された全ての照明器具１０と全てのデバイス３０の重量と（グループの照明器具１０）の総和である総重量を算出することができる。この照明システム１では、グループごとの総重量を算出することができるため、グループごとに重量超過をしているか否かを認識することができる。
【００８７】
また、本実施の形態に係る照明システム１において、システム側制御部１１０は、さらに、造営材５に設置できる装置の重量上限値を入力する重量設定部１１１を有する。そして、算出部１１３は、さらに、総重量と重量上限値とから差分を算出する。
【００８８】
このように、重量設定部１１１によって造営材５の重量上限値を入力することで、算出部１１３が総重量と重量上限値とから差分を算出する。このため、使用者は、算出された差分を基に、安全に照明器具１０に接続可能なデバイス３０の台数を認識することができる。
【００８９】
また、本実施の形態に係る照明システム１は、さらに、周囲に通知する第２通知部１２０を備える。そして、システム側制御部１１０は、算出部１１３で算出した総重量が、重量設定部１１１で設定された重量上限値を超えている場合に、第２通知部１２０を介して重量上限値を超えていることを通知する。
【００９０】
このように、総重量が重量上限値を超えている場合に、システム側制御部１１０は、グループにおける総重量が重量上限値を超えていることを、第２通知部１２０を介して通知するため、使用者は、重量超過をしているか否かをより認識し易くなる。
【００９１】
また、本実施の形態に係る照明システム１は、さらに、算出部１１３が算出した総重量および差分を表示する重量表示部２１を備える。
【００９２】
このように、重量表示部２１が総重量および差分を表示するため、使用者は、重量超過をしているか否かの判断、安全に照明器具１０に接続可能なデバイス３０の台数の認識を行い易くなる。
【００９３】
また、本実施の形態に係る照明システム１において、当該照明システム１は、ネットワーク１０１を介して外部機器１０３に接続される。また、外部機器１０３は、ネットワーク１０１を介して、デバイス３０の重量に対する予め設定された閾値を任意に変更することができ、かつ、算出部１１３が算出した総重量および差分を、ネットワーク１０１を介して受信する。そして、外部機器１０３は、総重量および差分を表示する。
【００９４】
このように、ネットワーク１０１を介した外部機器１０３を用いて照明システム１の閾値を任意に変更することができるため、使用者は、照明器具１０の閾値の設定をより行い易くなる。また、外部機器１０３が総重量および差分を、ネットワーク１０１を介して受信して、外部機器１０３の表示部が総重量および差分を表示するため、使用者は、安全に照明器具１０に接続可能なデバイス３０の台数の認識を容易に行うことができる。
【００９５】
（その他の実施の形態）
以上、実施の形態について説明したが、本発明は、上記実施の形態に限定されるものではない。
【００９６】
図６は、変形例に係る照明器具およびデバイスを示す模式図である。例えば、上記実施の形態では、図６に示すように、接続端子１１の下方に、押圧式のスイッチ９９が配置されていてもよい。接続端子１１にデバイス３０の接続端子３１が接続された際に、デバイス３０の重量により接続端子１１が傾斜する。この際に、接続端子１１がスイッチ９９を押圧する。スイッチ９９が押圧されることで、スイッチ９９が第１通知部に信号を送信し、第１通知部が周囲にデバイス３０の重量が閾値を超えていることを通知してもよい。なお、スイッチ９９は、照明側制御部を介して重量表示部に信号を送信してもよい。そして、重量表示部は、デバイス３０の重量が閾値を超えていることを表示してもよい。なお、スイッチ９９がデバイス３０の第１通知部に送信し、第１通知部が周囲にデバイス３０の重量が閾値を超えていることを、音、光等によって通知してもよい。
【００９７】
図７の（ａ）は、変形例に係る照明器具３００にデバイス３０を挿入する前の状態である照明器具３００およびデバイス３０を示す模式図である。図７の（ｂ）は、変形例に係る照明器具３００にデバイス３０を挿入した後の状態である照明器具３００およびデバイスを示す模式図である。図７では、第１通知部を実現する一例として用いて説明する。
【００９８】
上記実施の形態において、図７に示すように、接続端子１１の上側には、バネ３１４と、可動部３１５と、バネ３１７とが上方から下方に向けて並ぶように連結されている。接続端子１１は、照明器具３００の筐体３０１に上下に揺動するように筐体３０１の開口部３０２に配置されている。
【００９９】
照明器具３００にデバイス３０を挿入する前の状態では、可動部３１５が筐体３０１の窓部３１６から見えない位置に配置されている。照明器具３００にデバイス３０を挿入した状態では、デバイス３０の重量が閾値を超えていると、図７の（ｂ）に示すように、デバイス３０の重量によりバネ３１４、３１７が弾性変形し、可動部３１５が筐体３０１の窓部３１６と向かい合う位置まで可動して、窓部から可動部３１５が見える。この場合に、使用者は、デバイス３０の重量が閾値を超えていることを認知することができる。なお、重量計測部３１３は、圧力を計測する圧力センサによって、バネ３１４からの圧力を検知し、圧力センサが計測した圧力信号の処理を行い、デバイス３０の重量を計測してもよい。なお、バネ３１４、可動部３１５、バネ３１７、窓部３１６は、接続端子１１の下側に設けられていてもよい。
【０１００】
また、上記実施の形態において、第１通知部は、重量計測部と別の装置であってもよい。この場合、重量計測部が計測したデバイスの重量を、照明側制御部を介して、第１通知部が通知してもよい。
【０１０１】
また、上記実施の形態において、一つの照明器具には、一つのデバイスが接続されているが、これには限定されず、一つの照明器具に複数のデバイスが接続されていてもよい。
【０１０２】
また、上記実施の形態では、重量計測部は、さらに通信部を有していてもよい。通信部は、重量計測部の検知部が検知した重量を、照明側制御部を介してシステム側制御部に送信してもよく、システム側制御部に無線通信で直接送信してもよい。通信部は、例えば、無線通信をするためのアンテナを有する通信モジュールである。なお、通信部は、重量計測部に設けられていなくてもよい。
【０１０３】
また、上記実施の形態において、通信部は、ＺｉｇＢｅｅ（登録商標）を用いて通信を行ってもよく、Ｂｌｕｅｔｏｏｔｈ（登録商標）、無線ＬＡＮ（Ｌｏｃａｌ  Ａｒｅａ  Ｎｅｔｗｏｒｋ）等を用いて通信を行ってもよい。
【０１０４】
以上、本発明の一つまたは複数の態様について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【符号の説明】
【０１０５】
１  照明システム
５  造営材
１０、３００  照明器具
１１、３１  接続端子
１３、３１３  重量計測部
１３ｃ  第１通知部
１３ｂ  閾値設定部
２１  重量表示部
３０  デバイス
１０１  ネットワーク
１０３  外部機器
１１０  システム側制御部（制御部）
１１１  重量設定部
１１３  算出部
１１５  選択部
１２０  第２通知部
【図１】
2018142445.tif 000003
【図２】
2018142445.tif 000004
【図３】
2018142445.tif 000005
【図４】
2018142445.tif 000006
【図５】
2018142445.tif 000007
【図６】
2018142445.tif 000008
【図７】
2018142445.tif 000009